(57)【要約】【課題】新たな美観・新たな価値を有し、さらには、空気中の二酸化炭素を従来よりも多く吸収することが可能な栽培用土入り植木鉢を提供する。【解決手段】本発明の栽培用土入り植木鉢２００は、受け皿２１０と、受け皿２１０の上部に載置され、植生マットからなる植木鉢本体２３０と、植木鉢本体２３０の内側に充填された栽培用土２５０とを備える。本発明の栽培用土入り植木鉢２００は、受け皿２１０の上に所定形状の孔を有する成形パイプ２２０を載置する工程と、成形パイプ２２０の外周面に植生マットを巻きつけた後当該植生マットを紐で仮止めして植木鉢本体２３０を形成する工程と、植木鉢本体２３０の内側に栽培用土２５０を入れながら成形パイプ２２０を引き抜くことにより植木鉢本体２３０の内側に栽培用土２５０を充填する工程とをこの順序で実施することにより製造することができる。【選択図】図４
2009005618.tif 000002
【特許請求の範囲】
【請求項１】
少なくとも側面が植生マットからなる植木鉢本体と、
前記植木鉢本体の内側に充填された栽培用土とを備えることを特徴とする栽培用土入り植木鉢。
【請求項２】
請求項１に記載の栽培用土入り植木鉢において、
前記植木鉢本体の底面側に配置される受け皿をさらに備えることを特徴とする栽培用土入り植木鉢。
【請求項３】
請求項２に記載の栽培用土入り植木鉢において、
前記植木鉢本体は、所定の形状を有する保持フレームをさらに有し、
前記保持フレームの周囲に前記植生マットが装着されていることを特徴とする栽培用土入り植木鉢。
【請求項４】
請求項１に記載の栽培用土入り植木鉢において、
前記植木鉢本体は、底面及び側面が植生マットからなることを特徴とする栽培用土入り植木鉢。
【請求項５】
請求項１に記載の栽培用土入り植木鉢において、
前記植木鉢本体は、鉢状の植物育成用基盤をさらに有し、
前記植物育成用基盤の周囲に前記植生マットが装着されていることを特徴とする栽培用土入り植木鉢。
【請求項６】
請求項１〜５のいずれかに記載の栽培用土入り植木鉢において、
前記栽培用土入り植木鉢に植生された草花又は種をさらに備えることを特徴とする栽培用土入り植木鉢。
【請求項７】
請求項１〜６のいずれかに記載の栽培用土入り植木鉢において、
前記栽培用土中に配置される植木鉢をさらに備えることを特徴とする栽培用土入り植木鉢。
【請求項８】
請求項１〜７のいずれかに記載の栽培用土入り植木鉢において、
前記栽培用土の上面には、土面を覆うように植生マットが植生されていることを特徴とする栽培用土入り植木鉢。
【請求項９】
請求項１〜８のいずれかに記載の栽培用土入り植木鉢において、
前記植生マットは、芝マットであることを特徴とする栽培用土入り植木鉢。
【請求項１０】
請求項９に記載の栽培用土入り植木鉢において、
前記栽培用土は、前記植木鉢本体の上面まで充填されていることを特徴とする栽培用土入り植木鉢。
【請求項１１】
鉢状の植物育成用基盤と、
当該植物育成用基盤の周囲に装着された植生マットとからなることを特徴とする植木鉢。
【請求項１２】
請求項１１に記載の植木鉢において、
前記植生マットは、芝マットであることを特徴とする植木鉢。
【請求項１３】
請求項２に記載の栽培用土入り植木鉢を製造するための栽培用土入り植木鉢の製造方法であって、
前記受け皿の上に所定形状の孔を有する成形パイプを載置する工程と、
前記成形パイプの外周面に植生マットを巻きつけた後、前記植生マットを紐で仮止めして植木鉢本体を形成する工程と、
前記植木鉢本体の内側に前記栽培用土を入れながら又は前記植木鉢本体の内側に前記栽培用土を入れた後に前記成形パイプを引き抜くことにより前記植木鉢本体の内側に前記栽培用土を充填する工程とを含むことを特徴とする植木鉢の製造方法。
【請求項１４】
請求項３に記載の栽培用土入り植木鉢を製造するための栽培用土入り植木鉢の製造方法であって、
前記受け皿の上に前記保持フレームを載置する工程と、
前記保持フレームの周囲に前記植生マットを装着して前記植木鉢本体を形成する工程と、
前記植木鉢本体の内側に前記栽培用土を充填する工程とを含むことを特徴とする栽培用土入り植木鉢の製造方法。
【請求項１５】
請求項４に記載の栽培用土入り植木鉢を製造するための栽培用土入り植木鉢の製造方法であって、
底面と側面が植生マットからなる植木鉢本体を形成する工程と、
前記植木鉢本体の内側に前記栽培用土を充填する工程とを含むことを特徴とする栽培用土入り植木鉢の製造方法。
【請求項１６】
請求項５に記載の栽培用土入り植木鉢を製造するための栽培用土入り植木鉢の製造方法であって、
鉢状の植物育成用基盤を形成する工程と、
前記植物育成用基盤の周囲に植生マットを装着して植木鉢本体を形成する工程と、
前記植木鉢本体の内側に前記栽培用土を充填する工程とを含むことを特徴とする栽培用土入り植木鉢の製造方法。
【請求項１７】
請求項１１に記載の植木鉢を製造するための植木鉢の製造方法であって、
鉢状の植物育成用基盤を形成する工程と、
前記植物育成用基盤の周囲に植生マットを装着して植木鉢を形成する工程とを含むことを特徴とする植木鉢の製造方法。
【発明の詳細な説明】
【技術分野】
【０００１】
本発明は、栽培用土入り植木鉢及び植木鉢並びにこれらの製造方法に関する。
【背景技術】
【０００２】
植木鉢とは、植物を栽培又は展示するために用いられる、植物の地下部を保護し安定させるための容器である。通常、植木鉢の底面には水抜きのための穴が開けれており、用土が常に一定の水分を保ちつつ、余分な水分が排出されるようになっている。植木鉢は屋外に置いて使用されることはもちろん室内に置いて使用されることもある。このような植木鉢は、通常、陶磁器又は樹脂で作られている（例えば、非特許文献１参照。）。
【０００３】
【非特許文献１】植木鉢、フリー百科事典『ウィキペディア（Wikipedia（登録商標））』、［online］、［平成１９年６月２１日検索］、インターネット＜http://ja.wikipedia.org/wiki/%E6%A4%8D%E6%9C%A8%E9%89%A2＞
【発明の開示】
【発明が解決しようとする課題】
【０００４】
ところで、人間生活においては、新たな美観・新たな価値を有する物品が常に求められており、植木鉢においても例外ではない。また、地球温暖化防止のため、人間生活の様々な局面において、二酸化炭素の排出量を従来よりも減らすことが求められている。さらにまた、物品が空気中の二酸化炭素を吸収する物品である場合には、空気中の二酸化炭素を従来よりもより多く吸収することが求められている。
【０００５】
そこで、本発明は、そのような課題に鑑みてなされたもので、新たな美観・新たな価値を有し、さらには、空気中の二酸化炭素を従来よりもより多く吸収することが可能な栽培用土入り植木鉢を提供することを目的とする。
【課題を解決するための手段】
【０００６】
（１）本発明の栽培用土入り植木鉢は、少なくとも側面が植生マットからなる植木鉢本体と、前記植木鉢本体の内側に充填された栽培用土とを備えることを特徴とする。
【０００７】
このため、本発明の栽培用土入り植木鉢によれば、植木鉢本体の少なくとも側面が植生マットからなるため、従来の陶磁器又は樹脂で作られている植木鉢の場合とは全く異なる美観を与えるものとなる。また、本発明の栽培用土入り植木鉢によれば、植木鉢本体の少なくとも側面が植生マットからなるため、植木鉢に植えた草花が成長するのと同様に植木鉢本体自体もが成長するようになり、これが使用者にとって新たな価値（例えば、ペットを育てる際に感じる価値、癒し効果を受ける際に感じる価値。）を与えるものとなる。その結果、本発明の栽培用土入り植木鉢は、従来の陶磁器又は樹脂で作られている植木鉢が有していなかった全く新たな美観・新たな価値を有するものとなる。
【０００８】
また、本発明の栽培用土入り植木鉢によれば、植木鉢本体の少なくとも側面が植生マットからなるため、植木鉢に植えた草花が空気中の二酸化炭素を吸収するのに加えて、植木鉢本体自体が空気中の二酸化炭素を吸収するようになる。その結果、本発明の栽培用土入り植木鉢によれば、空気中の二酸化炭素を従来よりもより多く吸収することが可能となる。
【０００９】
このため、本発明の栽培用土入り植木鉢は、新たな美観・新たな価値を有し、さらには、空気中の二酸化炭素を従来よりもより多く吸収することが可能な栽培用土入り植木鉢となる。
【００１０】
また、本発明の栽培用土入り植木鉢によれば、植木鉢本体自体が二酸化炭素を吸収するとともに新鮮な酸素を放出するため、栽培用土入り植木鉢が置かれた周りの空気を従来よりも清浄に保つことができるという効果も得られる。
【００１１】
ところで、従来の陶磁器又は樹脂で作られている植木鉢においては、植木鉢を庭などのに設置した場合には、地面からの雨水の跳ね返りによって植木鉢の外表面が汚損されるという問題がある。これに対して、本発明の栽培用土入り植木鉢によれば、地面からの雨水の跳ね返りがあったとしても、当該跳ね返りは植生マットに吸収されるため、上記した問題は軽減されることとなる。
【００１２】
また、従来の陶磁器又は樹脂で作られている植木鉢においては、植木鉢が陶磁器からなる場合には製造工程（例えば、素焼き工程、本焼き工程など。）で多大なエネルギーを消費するため、また植木鉢が樹脂からなる場合には製造工程（例えば、モノマー製造工程、重合工程など。）で多大なエネルギーを消費したり石油資源を消費したりするため、地球環境に対して少なからぬ負担をかけるという問題がある。これに対して、本発明の栽培用土入り植木鉢によれば、製造工程で消費するエネルギーや石油資源を低減することが可能となるため、上記した問題も軽減されることとなる。
【００１３】
なお、本発明の栽培用土入り植木鉢においては、草花に水をやることによって植生マットにも水をやることになるため、水をやる手間が増えるということもない。
【００１４】
（２）上記（１）に記載の栽培用土入り植木鉢においては、前記植木鉢本体の底面側に配置される受け皿をさらに備えることが好ましい。
【００１５】
このように構成することにより、栽培用土入り植木鉢を地面や机上に容易に設置することができるようになる。また、栽培用土入り植木鉢を容易に製造することができるようになる。
【００１６】
（３）上記（２）に記載の栽培用土入り植木鉢においては、前記植木鉢本体は、所定の形状を有する保持フレームをさらに有し、前記保持フレームの周囲に前記植生マットが装着されていることが好ましい。
【００１７】
このように構成することにより、植木鉢本体の強度を高くすること、ひいては栽培用土入り植木鉢の強度を高くすることが可能となる。
【００１８】
（４）上記（１）に記載の栽培用土入り植木鉢においては、前記植木鉢本体は、底面及び側面が植生マットからなることが好ましい。
【００１９】
このように構成することにより、底面も植生マットからなるため、新たな美観を有するものとなる。
【００２０】
なお、上記（２）〜（４）のいずれかに記載の栽培用土入り植木鉢においては、植生マットからなる植木鉢本体単独では従来の陶磁器又は樹脂で作られた植木鉢ほどの強度が得られないものであるが、植木鉢本体の内側には栽培用土が充填されているため、植木鉢として必要な強度が得られる。
【００２１】
（５）上記（１）に記載の栽培用土入り植木鉢においては、前記植木鉢本体は、鉢状の植物育成用基盤をさらに有し、前記植物育成用基盤の周囲に前記植生マットが装着されていることが好ましい。
【００２２】
このように構成することによっても、上記（３）に記載の栽培用土入り植木鉢の場合と同様に、植木鉢本体の強度を高くすること、ひいては栽培用土入り植木鉢の強度を高くすることがが可能となる。
【００２３】
（６）上記（１）〜（５）のいずれかに記載の栽培用土入り植木鉢においては、前記栽培用土入り植木鉢に植生された草花又は種をさらに備えることが好ましい。
【００２４】
このように構成することにより、さらに付加価値の高い栽培用土入り植木鉢となる。
【００２５】
（７）上記（１）〜（６）のいずれかに記載の栽培用土入り植木鉢においては、前記栽培用土中に配置される植木鉢をさらに備えることが好ましい。
【００２６】
このように構成することにより、植木鉢の内側に植えた草花の根と、植生マットの根とがからまって互いに悪影響を及ぼし合うことがなくなる。また、草花を容易に植え替えることができるようになる。
【００２７】
（８）上記（１）〜（７）のいずれかに記載の栽培用土入り植木鉢においては、前記栽培用土の上面には、土面を覆うように植生マットが植生されていることが好ましい。
【００２８】
このように構成することにより、栽培用土入り植木鉢の上面もが緑で覆われるため、新たな美観をさらに有する栽培用土入り植木鉢となる。
【００２９】
（９）上記（１）〜（８）のいずれかに記載の栽培用土入り植木鉢においては、前記植生マットは、芝マットであることが好ましい。
【００３０】
このように構成することにより、目に優しく落ち着いた美観が得られる。また、芝マットは根の密度が高いため、植木鉢として十分な強度を有する栽培用土入り植木鉢を実現できる。さらにまた、芝マットは根の長さがそれほど長くないため、植えた草花に与える悪影響を比較的小さいものとすることができる。
芝マットとしては、日本芝（高麗芝を含む）を用いた芝マット、西洋芝を用いた芝マット、その他の芝を用いた芝マットのいずれを使用することも可能である。
【００３１】
（１０）上記（９）に記載の栽培用土入り植木鉢においては、前記栽培用土は、前記植木鉢本体の上面まで充填されていることが好ましい。
【００３２】
このように構成することにより、植木鉢本体の最上部に位置する芝にも水分の供給を十分に行うことが可能となる。また、植木鉢本体の最上部に位置する芝もが十分に根を張るようになるため、植木鉢本体の強度を高くすることが可能となる。
【００３３】
（１１）本発明の植木鉢は、鉢状の植物育成用基盤と、当該植物育成用基盤の周囲に装着された植生マットとからなることを特徴とする。
【００３４】
このため、本発明の植木鉢によれば、当該植木鉢に栽培用土を入れれば上記（５）に記載の栽培用土入り植木鉢を構成することが可能となる。このため、使用者は栽培用土入り植木鉢よりも軽量な本発明の植木鉢を購入すれば済むため使用者にとっての利便性を高くすることが可能となる。
なお、本発明の植木鉢においては、植生マット及び植物育成用基盤に十分な水をやるようにれば、栽培用土が充填されていなくても植生マットは十分に成長する。
【００３５】
（１２）上記（１１）に記載の植木鉢においては、前記植生マットは、芝マットであることが好ましい。
【００３６】
このように構成することにより、目に優しく落ち着いた美観が得られる。また、芝マットは根の密度が高いため、植木鉢として十分な強度を有する栽培用土入り植木鉢を実現できる。さらにまた、芝マットは根の長さがそれほど長くないため、植えた草花に与える悪影響を比較的小さいものとすることができる。
芝マットとしては、日本芝（高麗芝を含む）を用いた芝マット、西洋芝を用いた芝マット、その他の芝を用いた芝マットのいずれを使用することも可能である。
【００３７】
（１３）本発明の栽培用土入り植木鉢の製造方法は、上記（２）に記載の栽培用土入り植木鉢を製造するための栽培用土入り植木鉢の製造方法であって、前記受け皿の上に所定形状の孔を有する成形パイプを載置する工程と、前記成形パイプの外周面に植生マットを巻きつけた後、前記植生マットを紐で仮止めして植木鉢本体を形成する工程と、前記植木鉢本体の内側に前記栽培用土を入れながら又は前記植木鉢本体の内側に前記栽培用土を入れた後に前記成形パイプを引き抜くことにより前記植木鉢本体の内側に前記栽培用土を充填する工程とを含むことを特徴とする。
【００３８】
このため、（１３）に記載の栽培用土入り植木鉢の製造方法によれば、上記（２）に記載の栽培用土入り植木鉢を製造することが可能となる。
【００３９】
（１４）本発明の栽培用土入り植木鉢の製造方法は、上記（３）に記載の栽培用土入り植木鉢を製造するための栽培用土入り植木鉢の製造方法であって、前記受け皿の上に前記保持フレームを載置する工程と、前記保持フレームの周囲に前記植生マットを装着して前記植木鉢本体を形成する工程と、前記植木鉢本体の内側に前記栽培用土を充填する工程とを含むことを特徴とする。
【００４０】
このため、（１４）に記載の栽培用土入り植木鉢の製造方法によれば、上記（３）に記載の栽培用土入り植木鉢を製造することが可能となる。
【００４１】
（１５）本発明の栽培用土入り植木鉢の製造方法は、上記（４）に記載の栽培用土入り植木鉢を製造するための栽培用土入り植木鉢の製造方法であって、底面と側面が植生マットからなる植木鉢本体を形成する工程と、前記植木鉢本体の内側に前記栽培用土を充填する工程とを含むことを特徴とする。
【００４２】
このため、（１５）に記載の栽培用土入り植木鉢の製造方法によれば、上記（４）に記載の栽培用土入り植木鉢を製造することが可能となる。
【００４３】
（１６）本発明の栽培用土入り植木鉢の製造方法は、上記（５）に記載の栽培用土入り植木鉢を製造するための栽培用土入り植木鉢の製造方法であって、鉢状の植物育成用基盤を形成する工程と、前記植物育成用基盤の周囲に植生マットを装着して植木鉢本体を形成する工程と、前記植木鉢本体の内側に前記栽培用土を充填する工程とを含むことを特徴とする。
【００４４】
このため、（１６）に記載の栽培用土入り植木鉢の製造方法によれば、上記（５）に記載の栽培用土入り植木鉢を製造することが可能となる。
【００４５】
（１７）本発明の植木鉢の製造方法は、上記（１１）に記載の植木鉢を製造するための植木鉢の製造方法であって、鉢状の植物育成用基盤を形成する工程と、前記植物育成用基盤の周囲に植生マットを装着して植木鉢を形成する工程とを含むことを特徴とする。
【００４６】
このため、（１７）に記載の植木鉢の製造方法によれば、上記（１１）に記載の植木鉢を製造することが可能となる。
【発明を実施するための最良の形態】
【００４７】
以下、本発明の栽培用土入り植木鉢及び植木鉢並びにこれらの製造方法について、図に示す実施形態に基づいて説明する。
【００４８】
［実施形態１］
実施形態１は、請求項３に係る栽培用土入り植木鉢を説明するための実施形態である。
【００４９】
図１は、実施形態１に係る栽培用土入り植木鉢１００の斜視図である。図２は、実施形態１に係る栽培用土入り植木鉢の製造方法を説明するために示す図である。図２（ａ）〜図２（ｃ）は実施形態１に係る栽培用土入り植木鉢の製造方法における各製造工程を示す斜視図である。
【００５０】
実施形態１に係る栽培用土入り植木鉢１００は、図１及び図２に示すように、受け皿１１０と、受け皿１１０の上に載置され、所定の形状を有する保持フレーム１２０と、保持フレーム１２０の周囲に装着された植生マットからなる植木鉢本体１３０と、植木鉢本体１３０の内側に充填された栽培用土１５０とを備える。
【００５１】
実施形態１に係る栽培用土入り植木鉢１００は、図２に示すように、受け皿１１０の上に保持フレーム１２０を載置する第１工程（図２（ａ）参照。）と、保持フレーム１２０の周囲に植生マットを装着して植木鉢本体１３０を形成する第２工程（図２（ｂ）参照。）と、植木鉢本体１３０の内側に栽培用土１５０を充填する第３工程（図２（ｃ）参照。）とを含む栽培用土入り植木鉢の製造方法により製造することができる。
【００５２】
受け皿１１０としては、植木鉢内の余分な水を外部へ排出するための水抜き口（図示せず。）を有する底の浅い円盤状の受け皿を用いる。また、受け皿１１０としては、例えば、陶磁器又は樹脂からなる受け皿を用いる。保持フレーム１２０としては、比較的粗い網目（例えば約１５ｍｍ）を有する金網を用いる（図２（ａ）参照。）。
【００５３】
植生マットとしては、高麗芝からなる芝マットを用いる。保持フレーム１２０の周囲に植生マットを装着して植木鉢本体１３０を形成した後、植木鉢本体１３０の周囲を覆うように透明な固定用紐１４０を巻き付ける（図２（ｂ）参照。）。
【００５４】
なお、植木鉢本体１３０の内側に栽培用土１５０を充填する前には、水はけ性能を維持しながら栽培用土を保持するためのメッシュシート（図示せず。）を受け皿１１０の上に載置する。栽培用土１５０としては、例えば５０体積％の土と５０体積％の培養土とを混合した栽培用土を用いる。植木鉢本体１３０の内側に栽培用土１５０を充填した後には栽培用土１５０に十分に水を与える。
【００５５】
なお、植木鉢本体１３０の内側に栽培用土１５０を充填した後に、植生マットの周囲から竹串などを打ち込んで植生マットを栽培用土１５０に対してさらにしっかりと固定するようにしてもよい。
【００５６】
栽培用土入り植木鉢１００を製造した後３週間程度経過すれば、上記した固定用紐１４０や竹串などは除去することができる。もちろん、上記した固定用紐１４０や竹串などは除去しなくてもよい。
【００５７】
実施形態１に係る栽培用土入り植木鉢１００によれば、植木鉢本体１３０の少なくとも側面が植生マットからなるため、従来の陶磁器又は樹脂で作られている植木鉢の場合とは全く異なる美観を与えるものとなる。また、実施形態１に係る栽培用土入り植木鉢１００によれば、植木鉢本体１３０の少なくとも側面が植生マットからなるため、植木鉢に植えた草花が成長するのと同様に植木鉢本体１３０自体が成長するようになり、これが使用者にとって新たな価値を与えるものとなる。その結果、実施形態１に係る栽培用土入り植木鉢１００は、従来の陶磁器又は樹脂で作られている植木鉢が有していなかった全く新たな美観・新たな価値を有するものとなる。
【００５８】
また、実施形態１に係る栽培用土入り植木鉢１００によれば、植木鉢本体１３０の少なくとも側面が植生マットからなるため、植木鉢に植えた草花が空気中の二酸化炭素を吸収するのに加えて、植木鉢本体１３０自体が空気中の二酸化炭素を吸収するようになる。その結果、実施形態１に係る栽培用土入り植木鉢１００によれば、空気中の二酸化炭素を従来よりもより多く吸収することが可能となる。
【００５９】
このため、実施形態１に係る栽培用土入り植木鉢１００は、新たな美観・新たな価値を有し、さらには、空気中の二酸化炭素を従来よりもより多く吸収することが可能な栽培用土入り植木鉢となる。
【００６０】
また、実施形態１に係る栽培用土入り植木鉢１００によれば、植木鉢本体１３０自体が二酸化炭素を吸収するとともに新鮮な酸素を放出するため、栽培用土入り植木鉢１００が置かれた周りの空気を従来よりも清浄に保つことができるという効果も得られる。
【００６１】
また、実施形態１に係る栽培用土入り植木鉢１００によれば、地面からの雨水の跳ね返りがあったとしても、当該跳ね返りは植生マットに吸収されるため、当該跳ね返りによって植木鉢の外表面が汚損されるという問題を形成することが可能となる。
【００６２】
また、実施形態１に係る栽培用土入り植木鉢１００によれば、製造工程で消費するエネルギーや石油資源を低減することが可能となり、地球環境にかける負担を軽減することが可能となる。
【００６３】
なお、実施形態１に係る栽培用土入り植木鉢１００によれば、植木鉢本体１３０の内側には栽培用土１５０が充填されているため、さらには、植木鉢本体１３０は保持フレーム１２０の周囲に装着されているため、植木鉢として必要な強度を得ることができる。
【００６４】
また、実施形態１に係る栽培用土入り植木鉢１００においては、草花に水をやることによって植生マットにも水をやることになるため、水をやる手間が増えるということもない。
【００６５】
［実施形態２］
実施形態１は、請求項２に係る栽培用土入り植木鉢を説明するための実施形態である。
【００６６】
図３は、実施形態２に係る栽培用土入り植木鉢２００の斜視図である。図４は、実施形態２に係る栽培用土入り植木鉢の製造方法を説明するために示す図である。図４（ａ）〜図４（ｅ）は実施形態２に係る栽培用土入り植木鉢の製造方法における各製造工程を示す断面図又は斜視図である。
【００６７】
実施形態２に係る栽培用土入り植木鉢２００は、図３及び図４に示すように、受け皿２１０と、受け皿２１０の上部に載置され、植生マットからなる植木鉢本体２３０と、植木鉢本体２３０の内側に充填された栽培用土２５０とを備える。
【００６８】
実施形態２に係る栽培用土入り植木鉢２００は、図４に示すように、受け皿２１０の上に所定形状の孔を有する成形パイプ２２０を載置する第１工程（図４（ａ）参照。）と、成形パイプ２２０の外周面に植生マットを巻きつけた後、植生マットを透明な固定用紐２４０で仮止めして植木鉢本体２３０を形成する第２工程（図４（ｂ）参照。）と、植木鉢本体２３０の内側に栽培用土２５０を入れながら成形パイプ２２０を引き抜くことにより植木鉢本体２３０の内側に栽培用土２５０を充填する第３工程（図４（ｃ）〜図４（ｅ）参照。）とを含む栽培用土入り植木鉢の製造方法により製造することができる。
【００６９】
受け皿２１０としては、植木鉢内の余分な水を外部へ排出するための水抜き口を有する底の浅い円盤状の受け皿を用いる。また、受け皿２１０としては、例えば、陶磁器又は樹脂からなる受け皿を用いる。成形パイプ２２０としては、例えば塩化ビニル製の成形パイプを用いる。
【００７０】
植生マットとしては、高麗芝からなる芝マットを用いる。成形パイプ２２０の外周面に植生マットを装着して植木鉢本体２３０を形成した後には、植木鉢本体２３０の周囲を覆うように固定用紐２４０を巻き付ける。
【００７１】
植木鉢本体２３０の内側に栽培用土２５０を充填する前には、水はけ性能を維持しながら栽培用土を保持するためのメッシュシート２１２を受け皿２１０の上に載置する。栽培用土２５０としては、例えば５０体積％の土と５０体積％の培養土とを混合した栽培用土を用いる。植木鉢本体２３０の内側に栽培用土２５０を充填した後には栽培用土１５０に十分に水を与える。
【００７２】
なお、実施形態２に係る栽培用土入り植木鉢２００によれば、実施形態１に係る栽培用土入り植木鉢１００の場合と同様に、植木鉢本体２３０の少なくとも側面が植生マットからなるため、実施形態１に係る栽培用土入り植木鉢１００が有する効果のうち該当する効果をそのまま有する。
【００７３】
［実施形態３］
実施形態３は、請求項４に係る栽培用土入り植木鉢を説明するための実施形態である。
【００７４】
図５は、実施形態３に係る栽培用土入り植木鉢３００の斜視図である。図６は、実施形態３に係る栽培用土入り植木鉢の製造方法を説明するために示す図である。図６（ａ）〜図６（ｃ）は実施形態３に係る栽培用土入り植木鉢の製造方法における各製造工程を示す斜視図である。なお、図６（ａ）は上方から見た植木鉢本体３３０の斜視図であり、図６（ｂ）は上方から見た栽培用土入り植木鉢３００の斜視図であり、図６（ｃ）は下方から見た栽培用土入り植木鉢３００の斜視図である。
【００７５】
実施形態３に係る栽培用土入り植木鉢３００は、図５及び図６に示すように、底面と側面が植生マット３３２，３３４からなる植木鉢本体３３０と、植木鉢本体３３０の内側に充填された栽培用土３５０とを備える。
【００７６】
実施形態３に係る栽培用土入り植木鉢３００は、図６に示すように、底面と側面が植生マット３３２，３３４からなる植木鉢本体３３０を形成する第１工程（図６（ａ）参照。））と、植木鉢本体３３０の内側に栽培用土３５０を充填する第２工程（図６（ｂ）参照。）とを含む栽培用土入り植木鉢の製造方法により製造することができる。
【００７７】
植生マットとしては、高麗芝からなる芝マットを用いる。
植木鉢本体３３０としては、植生マットのみから形成した植木鉢本体を用いてもよいし、保持フレームとしての金網の底面及び側面に植生マットを装着することにより形成した植木鉢本体を用いてもよい。
【００７８】
栽培用土３５０としては、例えば５０体積％の土と５０体積％の培養土とを混合した栽培用土を用いる。植木鉢本体３３０の内側に栽培用土３５０を充填した後には栽培用土３５０に十分に水を与える。
【００７９】
なお、実施形態３に係る栽培用土入り植木鉢の製造方法においては、図６（ｃ）に示すように、第２工程の後に、栽培用土入り植木鉢を吊り下げて使用するための吊り下げ用紐３４２を取り付けている。従って、実施形態１に係る栽培用土入り植木鉢３００は、フックによって吊り下げて使用するのに最適な植木鉢となる。
【００８０】
実施形態３に係る栽培用土入り植木鉢３００によれば、実施形態１に係る栽培用土入り植木鉢１００の場合と同様に、植木鉢本体３３０の少なくとも側面が植生マットからなるため、実施形態１に係る栽培用土入り植木鉢１００が有する効果のうち該当する効果をそのまま有する。
【００８１】
［実施形態４］
実施形態４は、請求項５に係る栽培用土入り植木鉢を説明するための実施形態である。
【００８２】
図７は、実施形態４に係る栽培用土入り植木鉢４００の斜視図である。図８は、実施形態４に係る栽培用土入り植木鉢の製造方法を説明するために示す図である。図８（ａ）〜図８（ｄ）は実施形態４に係る栽培用土入り植木鉢の製造方法における各製造工程を示す断面図又は斜視図である。
【００８３】
実施形態４に係る栽培用土入り植木鉢４００は、図７及び図８に示すように、鉢状の植物育成用基盤４２０及び当該植物育成用基盤４２０の周囲に装着された植生マット４２２からなる植木鉢本体４３０と、植木鉢本体４３０の内側に充填された栽培用土４５０とを備える。
【００８４】
実施形態４に係る栽培用土入り植木鉢４００は、図８に示すように、鉢状の植物育成用基盤４２０を形成する第１工程（図８（ａ）参照。）と、植物育成用基盤４２０の周囲に植生マット４２２を装着して植木鉢本体４３０を形成する第２工程（図８（ｂ）参照。）と、植木鉢本体４３０の内側に栽培用土４５０を充填する第３工程（図８（ｃ）及び図８（ｄ）参照。）とを含む栽培用土入り植木鉢の製造方法により製造することができる。
【００８５】
植物育成用基盤４２０としては、例えば、特開２００５−２６１３１４号公報に記載のように、木材粉砕物等の植物性細状物に接着剤を添加、混合してこれらの混合物を得る混合工程と、成形用の型に当該混合物を充填する充填工程と、型に充填された当該混合物を蒸気を用いて加熱する加熱工程とを実施することにより製造することができる。
【００８６】
植生マット４２２としては、高麗芝からなる芝マットを用いる。植生マット４２２を装着後、植生マット４２２の周囲に固定用紐４４０を巻いて、植生マット４２２を植物育成用基盤４２０にしっかりと固定する。また、植物育成用基盤４２０及び植生マット４２２に対して十分に水を与える。これにより、植生マット４２２は、植物育成用基盤４２０の内部にしっかりと根を張ることとなる。
【００８７】
植木鉢本体４３０の内側に栽培用土４５０を充填する前には、水はけ性能を維持しながら栽培用土を保持するためのメッシュシート４１２を植木鉢本体４３０の底部に載置する。栽培用土４５０としては、例えば５０体積％の土と５０体積％の培養土とを混合した栽培用土を用いる。
【００８８】
実施形態４に係る栽培用土入り植木鉢４００によれば、実施形態１に係る栽培用土入り植木鉢１００の場合と同様に、植木鉢本体４３０の少なくとも側面が植生マットからなるため、実施形態１に係る栽培用土入り植木鉢１００が有する効果のうち該当する効果をそのまま有する。
【００８９】
［実施形態５］
実施形態５は、請求項５に係る栽培用土入り植木鉢を説明するための実施形態である。
【００９０】
図９は、実施形態５に係る栽培用土入り植木鉢５００の斜視図である。図９（ａ）は上方から見た栽培用土入り植木鉢５００の斜視図であり、図９（ｂ）は下方から見た栽培用土入り植木鉢５００の斜視図であり、図９（ｃ）は栽培用土入り植木鉢５００の断面図である。
【００９１】
実施形態５に係る栽培用土入り植木鉢５００は、基本的には実施形態４に係る栽培用土入り植木鉢４００と同様の構成を有するが、図９に示すように、植物育成用基盤５２０の底面にも植生マットを装着している点及び植物育成用基盤５２０に吊り下げ用紐５４２を取り付けている点で実施形態４に係る栽培用土入り植木鉢４００の場合と異なる。
【００９２】
このため、実施形態５に係る栽培用土入り植木鉢５００は、実施形態４に係る栽培用土入り植木鉢４００とは異なった美観を有する栽培用土入り植木鉢となる。
【００９３】
なお、実施形態５に係る栽培用土入り植木鉢５００は、植物育成用基盤５２０の底面にも植生マットを装着している点及び植物育成用基盤５２０に吊り下げ用紐５４２を取り付けている点以外の点では、実施形態４に係る栽培用土入り植木鉢４００と同様の構成を有するため、実施形態４に係る栽培用土入り植木鉢４００が有する効果のうち該当する効果をそのまま有する。
【００９４】
［実施形態６］
実施形態６は、請求項６に係る栽培用土入り植木鉢を説明するための実施形態である。
【００９５】
図１０は、実施形態６に係る栽培用土入り植木鉢６００の斜視図である。
【００９６】
実施形態６に係る栽培用土入り植木鉢６００は、基本的には実施形態１に係る栽培用土入り植木鉢１００と同様の構成を有するが、図１０に示すように、栽培用土入り植木鉢６００に植生された草花６６０をさらに備える点で、実施形態１に係る栽培用土入り植木鉢１００の場合と異なる。
【００９７】
このため、実施形態６に係る栽培用土入り植木鉢６００は、実施形態１に係る栽培用土入り植木鉢１００の場合よりもさらに付加価値の高い栽培用土入り植木鉢となる。
【００９８】
なお、実施形態６に係る栽培用土入り植木鉢６００は、栽培用土入り植木鉢６００の内側に植生された草花６６０をさらに備える点以外の点では、実施形態１に係る栽培用土入り植木鉢１００と同様の構成を有するため、実施形態１に係る栽培用土入り植木鉢１００が有する効果のうち該当する効果をそのまま有する。
【００９９】
［実施形態７］
実施形態７は、請求項７に係る栽培用土入り植木鉢を説明するための実施形態である。
【０１００】
図１１は、実施形態７に係る栽培用土入り植木鉢７００の斜視図である。
【０１０１】
実施形態７に係る栽培用土入り植木鉢７００は、基本的には実施形態６に係る栽培用土入り植木鉢６００と同様の構成を有するが、図１１に示すように、栽培用土中に配置される植木鉢７７０をさらに備え、この植木鉢７７０の中に草花７６０が植えられている点で、実施形態６に係る栽培用土入り植木鉢６００の場合と異なる。
【０１０２】
このため、実施形態７に係る栽培用土入り植木鉢７００は、植木鉢７７０の内側に植えた草花７６０の根と、植木鉢本体７３０の植生マットの根とがからまって互いに悪影響を及ぼし合うことがなくなる。また、草花７６０を容易に植え替えることができるようになる。
【０１０３】
なお、実施形態７に係る栽培用土入り植木鉢７００は、栽培用土中に配置される植木鉢７７０をさらに備え、この植木鉢７７０の中に草花７６０が植えられている点以外の点では、実施形態６に係る栽培用土入り植木鉢６００と同様の構成を有するため、実施形態６に係る栽培用土入り植木鉢６００が有する効果のうち該当する効果をそのまま有する。
【０１０４】
［実施形態８］
実施形態８は、請求項８に係る栽培用土入り植木鉢を説明するための実施形態である。
【０１０５】
図１２は、実施形態８に係る栽培用土入り植木鉢８００の斜視図である。
【０１０６】
実施形態８に係る栽培用土入り植木鉢８００は、基本的には実施形態１に係る栽培用土入り植木鉢１００と同様の構成を有するが、図１２に示すように、栽培用土８５０の上面に土面を覆うように植生マット８３２が植生されている点で、実施形態１に係る栽培用土入り植木鉢１００の場合と異なる。
【０１０７】
このため、実施形態８に係る栽培用土入り植木鉢８００は、栽培用土８５０の上面もが緑で覆われるため、実施形態１に係る栽培用土入り植木鉢１００が有しない新たな美観をさらに有する栽培用土入り植木鉢となる。
【０１０８】
なお、実施形態８に係る栽培用土入り植木鉢８００は、栽培用土８５０の上面に土面を覆うように植生マット８３２が植生されている点以外の点では、実施形態１に係る栽培用土入り植木鉢１００と同様の構成を有するため、実施形態１に係る栽培用土入り植木鉢１００が有する効果のうち該当する効果をそのまま有する。
【０１０９】
［実施形態９］
図１３は、実施形態９に係る栽培用土入り植木鉢９００の斜視図である。
【０１１０】
実施形態９に係る栽培用土入り植木鉢９００は、基本的には実施形態１に係る栽培用土入り植木鉢１００と同様の構成を有するが、図１３に示すように、栽培用土入り植木鉢の外形が四角形である点で、実施形態１に係る栽培用土入り植木鉢１００の場合と異なる。
【０１１１】
このように、実施形態９に係る栽培用土入り植木鉢９００は、栽培用土入り植木鉢の外形が四角形である点で、実施形態１に係る栽培用土入り植木鉢１００の場合とは異なるが、これ以外の点では実施形態１に係る栽培用土入り植木鉢１００と同様の構成を有するため、実施形態１に係る栽培用土入り植木鉢１００が有する効果のうち該当する効果をそのまま有する。
【０１１２】
［実施形態１０］
図１４は、実施形態１０に係る栽培用土入り植木鉢１０００の斜視図である。
【０１１３】
実施形態１０に係る栽培用土入り植木鉢１０００は、基本的には実施形態１に係る栽培用土入り植木鉢１００と同様の構成を有するが、図１４に示すように、栽培用土入り植木鉢の外形がティーカップ形状である点で、実施形態１に係る栽培用土入り植木鉢１００の場合と異なる。
【０１１４】
このように、実施形態１０に係る栽培用土入り植木鉢１０００は、栽培用土入り植木鉢の外形がティーカップ形状である点で、実施形態１に係る栽培用土入り植木鉢１００の場合とは異なるが、これ以外の点では実施形態１に係る栽培用土入り植木鉢１００と同様の構成を有するため、実施形態１に係る栽培用土入り植木鉢１００が有する効果のうち該当する効果をそのまま有する。
【０１１５】
［実施形態１１］
図１５は、実施形態１１に係る栽培用土入り植木鉢の製造方法を説明するために示す図である。なお、図１５は、実施形態１１に係る栽培用土入り植木鉢の製造方法における、受け皿１１１０の上に保持フレーム１１２０を載置する工程を示す図である。
【０１１６】
実施形態１１に係る栽培用土入り植木鉢の製造方法は、基本的には実施形態１に係る栽培用土入り植木鉢の製造方法と同様の工程を有するが、図１５に示すように、用いる保持フレームの構造が実施形態１に係る栽培用土入り植木鉢の製造方法の場合と異なる。すなわち、実施形態１１に係る栽培用土入り植木鉢の製造方法においては、実施形態１に係る栽培用土入り植木鉢の製造方法で用いるのに比べて太くて目の粗い保持フレームを用いている。
【０１１７】
このように、実施形態１１に係る栽培用土入り植木鉢の製造方法は、用いる保持フレームの構造が実施形態１に係る栽培用土入り植木鉢の製造方法の場合とは異なるが、これ以外の点では実施形態１に係る栽培用土入り植木鉢の製造方法と同様の工程を有するため、実施形態１に係る栽培用土入り植木鉢の製造方法が有する効果のうち該当する効果をそのまま有する。
【０１１８】
［実施形態１２］
図１６は、実施形態１２に係る栽培用土入り植木鉢１２００の断面図である。
【０１１９】
実施形態１２に係る栽培用土入り植木鉢１２００は、基本的には実施形態１に係る栽培用土入り植木鉢１００と同様の構成を有するが、図１６に示すように、栽培用土１２５０の中に発泡樹脂１２５２を有する点で、実施形態１に係る栽培用土入り植木鉢１００の場合と異なる。
【０１２０】
このため、実施形態１２に係る栽培用土入り植木鉢１２００は、発泡樹脂１２５２の分だけ栽培用土の充填料を減らせるため、実施形態１に係る栽培用土入り植木鉢１００よりも軽い栽培用土入り植木鉢を構成可能であるという効果を有する。
【０１２１】
なお、実施形態１２に係る栽培用土入り植木鉢１２００は、栽培用土１２５０の中に発泡樹脂１２５２を有する点以外の点では実施形態１に係る栽培用土入り植木鉢１００と同様の構成を有するため、実施形態１に係る栽培用土入り植木鉢１００が有する効果のうち該当する効果をそのまま有する。
【０１２２】
［実施形態１３］
図１７は、実施形態１３に係る栽培用土入り植木鉢１３００を説明するために示す図である。図１７（ａ）は栽培用土入り植木鉢１３００の断面図であり、図１７（ｂ）は栽培用土入り植木鉢１３００の斜視図である。
【０１２３】
実施形態１３に係る栽培用土入り植木鉢１３００は、基本的には実施形態４に係る栽培用土入り植木鉢４００と同様の構成を有するが、図１７に示すように、植木鉢本体１３３０が四角形である点で、実施形態４に係る栽培用土入り植木鉢４００の場合と異なる。
【０１２４】
このように、実施形態１３に係る栽培用土入り植木鉢１３００は、植木鉢本体１３３０が四角形である点で、実施形態４に係る栽培用土入り植木鉢４００の場合とは異なるが、少なくとも側面が植生マット１３２２からなる植木鉢本体１３３０を備えるため、新たな美観・新たな価値を有し、さらには、空気中の二酸化炭素を従来よりもより多く吸収することが可能な栽培用土入り植木鉢となる。
【０１２５】
なお、実施形態１３に係る栽培用土入り植木鉢１３００は、植木鉢本体１３３０が四角形である点以外の点では実施形態４に係る栽培用土入り植木鉢４００と同様の構成を有するため、実施形態４に係る栽培用土入り植木鉢４００が有する効果のうち該当する効果をそのまま有する。
【０１２６】
［実施形態１４］
図１８は、実施形態１４に係る栽培用土入り植木鉢１４００の斜視図である。
【０１２７】
実施形態１４に係る栽培用土入り植木鉢１４００は、基本的には実施形態１３に係る栽培用土入り植木鉢１３００と同様の構成を有するが、図１８に示すように、植木鉢本体１４３０の外側に栽培用土入りポケットを有する点で、実施形態１３に係る栽培用土入り植木鉢１３００の場合と異なる。
【０１２８】
このため、実施形態１４に係る栽培用土入り植木鉢１４００は、植木鉢本体１４３０の外側に栽培用土入りポケットにおいても草花を育てることが可能となるため、新たな美観・新たな価値を有する栽培用土入り植木鉢となる。
【０１２９】
なお、実施形態１４に係る栽培用土入り植木鉢１４００は、植木鉢本体１４３０の外側に栽培用土入りポケットを有する点以外の点では実施形態１３に係る栽培用土入り植木鉢１３００と同様の構成を有するため、実施形態１３に係る栽培用土入り植木鉢１３００が有する効果のうち該当する効果をそのまま有する。
【０１３０】
［実施形態１５］
図１９は、実施形態１５に係る栽培用土入り植木鉢１５００の図面代用写真である。
【０１３１】
実施形態１５に係る栽培用土入り植木鉢１５００は、基本的には実施形態６に係る栽培用土入り植木鉢６００と同様の構成を有する。なお、図１９においては、受け皿を視認することができないが、これは、受け皿と植木鉢本体との直径の差が小さく、また、植木鉢本体の芝に遮られているためであり、実際には受け皿を備えている。
【０１３２】
図１９に示すように、実施形態１５に係る栽培用土入り植木鉢１５００は、従来の陶磁器又は樹脂で作られている植木鉢の場合とは全く異なる美観を与えるものであることがわかる。
【０１３３】
以上、本発明の栽培用土入り植木鉢及びその製造方法を上記の各実施形態に基づいて説明したが、本発明は上記の各実施形態に限定されるものではなく、その要旨を逸脱しない範囲において種々の態様において実施することが可能であり、例えば次のような変形も可能である。
【０１３４】
（１）上記の各実施形態においては、植生マットとして高麗芝からなる芝マットを用いたが、本発明はこれに限定されるものではない。例えば、高麗芝以外の日本芝、西洋芝その他の芝を用いた芝マットからなる植生マットを用いることもできるし、水こけや蔓などを密生して生育させた植生マットを用いることもできる。
【０１３５】
（２）上記の実施形態１〜１０及び１７〜１８においては、栽培用土入り植木鉢１００〜１０００から植生マット固定用紐１４０〜１０４０，１７４０〜１８４０が除去されていないが、本発明はこれに限定されるものではない。例えば、栽培用土入り植木鉢１００〜１０００，１７００〜１８００から植生マット固定紐１４０〜１０４０，１７４０〜１８４０が除去されていてもよい。
【０１３６】
（３）上記の実施形態２においては、植木鉢本体２３０の内側に栽培用土２５０を入れながら成形パイプ２２０を引き抜くことにより植木鉢本体２３０の内側に栽培用土２５０を充填することとしているが、本発明はこれに限定されるものではない。例えば、植木鉢本体２３０の内側に栽培用土２５０を入れた後成形パイプ２２０を引き抜くことにより植木鉢本体２３０の内側に栽培用土２５０を充填することとしてもよい。
【０１３７】
（４）上記の実施形態４においては、植木鉢本体４３０の内側に栽培用土２５０が充填された栽培用土入り植木鉢４００を例にとって本発明を説明したが、本発明はこれに限定されるものではない。例えば、植木鉢本体４３０の内側に栽培用土２５０が充填されていない植木鉢も本発明に含まれる。
【図面の簡単な説明】
【０１３８】
【図１】実施形態１に係る栽培用土入り植木鉢１００の斜視図である。
【図２】実施形態１に係る栽培用土入り植木鉢の製造方法を説明するために示す図である。
【図３】実施形態２に係る栽培用土入り植木鉢２００の斜視図である。
【図４】実施形態２に係る栽培用土入り植木鉢の製造方法を説明するために示す図である。
【図５】実施形態３に係る栽培用土入り植木鉢３００の斜視図である。
【図６】実施形態３に係る栽培用土入り植木鉢の製造方法を説明するために示す図である。
【図７】実施形態４に係る栽培用土入り植木鉢４００の斜視図である。
【図８】実施形態４に係る栽培用土入り植木鉢の製造方法を説明するために示す図である。
【図９】実施形態５に係る栽培用土入り植木鉢５００を説明するために示す図である。
【図１０】実施形態６に係る栽培用土入り植木鉢６００の斜視図である。
【図１１】実施形態７に係る栽培用土入り植木鉢７００の斜視図である。
【図１２】実施形態８に係る栽培用土入り植木鉢８００の斜視図である。
【図１３】実施形態９に係る栽培用土入り植木鉢９００の斜視図である。
【図１４】実施形態１０に係る栽培用土入り植木鉢１０００の斜視図である。
【図１５】実施形態１１に係る栽培用土入り植木鉢の製造方法を説明するために示す図である。
【図１６】実施形態１２に係る栽培用土入り植木鉢１２００の断面図である。
【図１７】実施形態１３に係る栽培用土入り植木鉢１２００を説明するために示す図である。
【図１８】実施形態１４に係る栽培用土入り植木鉢１４００の斜視図である。
【図１９】実施形態１５に係る栽培用土入り植木鉢１５００の図面代用写真である。
【符号の説明】
【０１３９】
１００，２００，３００，４００，５００，６００,７００，８００，９００，１０００，１２００，１３００，１４００，１５００…栽培用土入り植木鉢、１１０，２１０，６１０，７１０，８１０，１１１０，１２１０…受け皿、２１２，４１２，１２１２，１３１２…メッシュシート、１２０，１１２０，１２２０…保持フレーム、１３０，２３０，３３０，４３０，５３０，６３０，７３０，８３０，９３０，１０３０，１２３０，１３３０，１４３０…植木鉢本体、１４０，２４０，３４０，４４０，５４０，６４０，７４０，８４０，９４０，１０４０，１３４０，１４４０…固定用紐、１５０，２５０，３５０，４５０，５５０，６５０，７５０，９５０，１０５０，１２５０，１３５０，１４５０…栽培用土、２２０…成形パイプ、３３２…（側面を覆う）植生マット、３３４…（底面を覆う）植生マット、３４２，５４２…吊り下げ用紐、４２０，５２０，１３２０，１４２０…植物育成用基盤、４２２，５２２，８３２，１３２２，１４２２…植生マット、６６０，７６０，８６０…草花、７７０…植木鉢、１１２２…保持フレーム用紐、１２５２…発泡樹脂
【図１】
2009005618.tif 000003
【図２】
2009005618.tif 000004
【図３】
2009005618.tif 000005
【図４】
2009005618.tif 000006
【図５】
2009005618.tif 000007
【図６】
2009005618.tif 000008
【図７】
2009005618.tif 000009
【図８】
2009005618.tif 000010
【図９】
2009005618.tif 000011
【図１０】
2009005618.tif 000012
【図１１】
2009005618.tif 000013
【図１２】
2009005618.tif 000014
【図１３】
2009005618.tif 000015
【図１４】
2009005618.tif 000016
【図１５】
2009005618.tif 000017
【図１６】
2009005618.tif 000018
【図１７】
2009005618.tif 000019
【図１８】
2009005618.tif 000020
【図１９】
2009005618.tif 000021